(57)【要約】【課題】駆動源から出力軸に動力を伝達する動力伝達経路を１つのクラッチで切替えることができ、クラッチが大型化することを防止して、小型化を図ることができる車両用変速機を提供すること。【解決手段】自動変速機２は、エンジン３から動力が伝達される内側入力軸１２と、内側入力軸１２の外側において内側入力軸１２と同軸上に設けられた外側入力軸１３と、内側入力軸１２および外側入力軸１３に設置され、エンジン３と外側入力軸１３との間で動力を伝達可能および動力を遮断可能なクラッチ装置２２と、クラッチ軸１８に設けられ、カウンタ軸１５の回転速度がクラッチ軸１８の回転速度よりも速くなると、カウンタ軸１５から駆動ギヤ５８Ａ、中間ギヤ６０および従動ギヤ４４Ｆを介してクラッチ軸１８に動力を伝達しないワンウェイクラッチ５９とを備え、１速段と１速段に連続する２速段とは、１速−２速出力ギヤ４３Ａと１速−２速カウンタギヤ４４Ａとによって共通化されている。【選択図】図２
2020197281.tif 000002
【特許請求の範囲】
【請求項１】
駆動源から動力が伝達される内側入力軸と、
前記内側入力軸の外側において前記内側入力軸と同軸上に設けられた外側入力軸と、
前記内側入力軸および前記外側入力軸に設置され、前記駆動源と前記外側入力軸との間で動力を伝達可能および動力を遮断可能なクラッチ装置と、
前記内側入力軸および前記外側入力軸と平行に設置された出力軸、クラッチ軸、カウンタ軸および後退軸と、
前記外側入力軸と前記カウンタ軸とに設けられ、前記外側入力軸から前記カウンタ軸に動力を伝達する第１の動力伝達ギヤ対と、
前記カウンタ軸と前記出力軸とに設けられ、前記カウンタ軸から前記出力軸に変速段に応じた動力を伝達可能な複数の変速ギヤ対と、
前記内側入力軸と前記クラッチ軸とに設けられ、前記内側入力軸から前記クラッチ軸に動力を伝達する第２の動力伝達ギヤ対と、
前記クラッチ軸と前記後退軸と前記カウンタ軸とに設けられ、前記クラッチ軸と前記後退軸と前記カウンタ軸との間で動力を伝達する動力伝達ギヤ組と、
前記クラッチ軸に設けられ、前記クラッチ軸の動力を前記動力伝達ギヤ組を介して前記カウンタ軸に伝達し、前記カウンタ軸の回転速度が前記クラッチ軸の回転速度よりも速くなると、前記カウンタ軸から前記動力伝達ギヤ組を介して前記クラッチ軸に動力を伝達しないワンウェイクラッチとを備え、
前記複数の変速ギヤ対のうちの１つの変速ギヤ対は、第１の前進用変速段と前記第１の前進用変速段に連続する第２の前進用変速段とが共通化されていることを特徴とする車両用変速機。
【請求項２】
前記クラッチ装置を第１のクラッチ装置とした場合に、前記クラッチ軸に第２のクラッチ装置が設けられており、
前記第２のクラッチ装置は、前記内側入力軸と前記クラッチ軸との間で動力を伝達可能および動力を遮断可能であることを特徴とする請求項１に記載の車両用変速機。
【請求項３】
前記第１の前進用変速段が前進１速段からなり、前記第２の前進用変速段が前進２速段からなることを特徴とする請求項１または請求項２に記載の車両用変速機。
【発明の詳細な説明】
【技術分野】
【０００１】
本発明は、車両用変速機に関する。
【背景技術】
【０００２】
従来、複数のクラッチを備えた車両用変速機として、特許文献１に記載されるデュアルクラッチ式変速機が知られている。
【０００３】
このデュアルクラッチ式変速機は、第１入力軸と、第１入力軸の外周部に第１入力軸と同軸上に設けられた第２入力軸と、エンジンの動力を第１入力軸に伝達可能および遮断可能な第１クラッチと、第１クラッチの外周部に第１クラッチと同軸上に設けられ、エンジンの動力を第２入力軸に伝達可能および遮断可能な第２クラッチとを有する。
【０００４】
また、デュアルクラッチ式変速機は、第１入力軸と平行に配置された第１カウンタ軸と、第１カウンタ軸と同軸に配置され、第１カウンタ軸と選択的に結合される第２カウンタ軸と、第１入力軸と同軸に配置され、第１入力軸と選択的に結合される出力軸と、第２入力軸と第１カウンタ軸との間で動力伝達を行う第１ギヤ列を備えている。
【０００５】
さらに、デュアルクラッチ式変速機は、第１入力軸に固設された第３入力ギヤおよび第１カウンタ軸または第２カウンタ軸と選択的に結合される第３カウンタギヤを含む第２ギヤ列と、第１入力軸と第２カウンタ軸との間で選択的に動力伝達を行う第３ギヤ列と、第２カウンタ軸と出力軸との間で動力伝達を行う第４ギヤ列、第５ギヤ列および第６ギヤ列とを備えている。
【０００６】
このデュアルクラッチ式変速機にあっては、１速段に変速される場合に、第１クラッチが接続され、エンジンの動力が第１クラッチ、第１入力軸、第２ギヤ列、第２シンクロ機構、第１カウンタ軸、第６ギヤ列および第５シンクロ機構を介して出力軸に伝達される。
【０００７】
また、２速段に変速される場合には、１速段の状態で第１クラッチが切断されるとともに、第２クラッチが接続され、エンジンの動力が第２クラッチ、第２入力軸、第１ギヤ列、第１カウンタ軸、第６ギヤ列および第５シンクロ機構を介して出力軸に伝達される。
【０００８】
これにより、シンクロ機構を操作することなく、第１クラッチと第２クラッチを切替えるだけで、１速段と２速段とにシフトできる。
【先行技術文献】
【特許文献】
【０００９】
【特許文献１】特開２０１９−２７４５８号公報
【発明の概要】
【発明が解決しようとする課題】
【００１０】
このような従来のデュアルクラッチ式変速機にあっては、第１クラッチの外周部に第１クラッチと同軸上となるように第２クラッチを設けている。これにより、クラッチが大型化し、デュアルクラッチ式変速機が大型化するおそれがある。
【００１１】
本発明は、上記のような事情に着目してなされたものであり、駆動源から出力軸に動力を伝達する動力伝達経路を１つのクラッチで切替えることができ、クラッチが大型化することを防止して、小型化を図ることができる車両用変速機を提供することを目的とするものである。
【課題を解決するための手段】
【００１２】
本発明は、駆動源から動力が伝達される内側入力軸と、前記内側入力軸の外側において前記内側入力軸と同軸上に設けられた外側入力軸と、前記内側入力軸および前記外側入力軸に設置され、前記駆動源と前記外側入力軸との間で動力を伝達可能および動力を遮断可能なクラッチ装置と、前記内側入力軸および前記外側入力軸と平行に設置された出力軸、クラッチ軸、カウンタ軸および後退軸と、前記外側入力軸と前記カウンタ軸とに設けられ、前記外側入力軸から前記カウンタ軸に動力を伝達する第１の動力伝達ギヤ対と、前記カウンタ軸と前記出力軸とに設けられ、前記カウンタ軸から前記出力軸に変速段に応じた動力を伝達可能な複数の変速ギヤ対と、前記内側入力軸と前記クラッチ軸とに設けられ、前記内側入力軸から前記クラッチ軸に動力を伝達する第２の動力伝達ギヤ対と、前記クラッチ軸と前記後退軸と前記カウンタ軸とに設けられ、前記クラッチ軸と前記後退軸と前記カウンタ軸との間で動力を伝達する動力伝達ギヤ組と、前記クラッチ軸に設けられ、前記クラッチ軸の動力を前記動力伝達ギヤ組を介して前記カウンタ軸に伝達し、前記カウンタ軸の回転速度が前記クラッチ軸の回転速度よりも速くなると、前記カウンタ軸から前記動力伝達ギヤ組を介して前記クラッチ軸に動力を伝達しないワンウェイクラッチとを備え、前記複数の変速ギヤ対のうちの１つ変速ギヤ対は、第１の前進用変速段と前記第１の前進用変速段に連続する第２の前進用変速段とが共通化されていることを特徴とする。
【発明の効果】
【００１３】
このように上記の本発明によれば、駆動源から出力軸に動力を伝達する動力伝達経路を１つのクラッチで切替えることができ、クラッチが大型化することを防止して、車両用変速機の小型化を図ることができる。
【図面の簡単な説明】
【００１４】
【図１】図１は、本発明の一実施例に係る車両用変速機の断面図であり、内側入力軸と外側入力軸を上下に横切る平面で切った図である。
【図２】図２は、本発明の一実施例に係る車両用変速機の軸の構成図である。
【図３】図３は、本発明の一実施例に係る車両用変速機の斜視図であり、変速機ケースを外した状態を示す。
【図４】図４は、本発明の一実施例に係る車両用変速機のフロントケースを後側から見た図である。
【発明を実施するための形態】
【００１５】
本発明の一実施の形態に係る車両用変速機は、駆動源から動力が伝達される内側入力軸と、内側入力軸の外側において内側入力軸と同軸上に設けられた外側入力軸と、内側入力軸および外側入力軸に設置され、駆動源と外側入力軸との間で動力を伝達可能および動力を遮断可能なクラッチ装置と、内側入力軸および外側入力軸と平行に設置された出力軸、クラッチ軸、カウンタ軸および後退軸と、外側入力軸とカウンタ軸とに設けられ、外側入力軸からカウンタ軸に動力を伝達する第１の動力伝達ギヤ対と、カウンタ軸と出力軸とに設けられ、カウンタ軸から出力軸に変速段に応じた動力を伝達可能な複数の変速ギヤ対と、内側入力軸とクラッチ軸とに設けられ、内側入力軸からクラッチ軸に動力を伝達する第２の動力伝達ギヤ対と、クラッチ軸と後退軸とカウンタ軸とに設けられ、クラッチ軸と後退軸とカウンタ軸との間で動力を伝達する動力伝達ギヤ組と、クラッチ軸に設けられ、クラッチ軸の動力を動力伝達ギヤ組を介してカウンタ軸に伝達し、カウンタ軸の回転速度がクラッチ軸の回転速度よりも速くなると、カウンタ軸から動力伝達ギヤ組を介してクラッチ軸に動力を伝達しないワンウェイクラッチとを備え、複数の変速ギヤ対のうちの１つの変速ギヤ対は、第１の前進用変速段と第１の前進用変速段に連続する第２の前進用変速段とが共通化されている。
【００１６】
これにより、本発明の一実施の形態に係る車両用変速機は、駆動源から出力軸に動力を伝達する動力伝達経路を１つのクラッチで切替えることができ、クラッチが大型化することを防止して、車両用変速機の小型化を図ることができる。
【実施例】
【００１７】
以下、本発明の一実施例に係る自動変速機について、図面を用いて説明する。図１から図４は、本発明に係る一実施例の自動変速機を示す図である。
【００１８】
図１から図４において、上下前後左右方向は、車両に自動変速機を搭載した状態での方向であって、車両の進行する方向を前、後退する方向を後とし、車両の幅方向が左右方向、車両の高さ方向が上下方向である。また、車両の幅方向を車幅方向ともいう。
【００１９】
まず、構成を説明する。
図１において、車両１には自動変速機２が搭載されており、自動変速機２は、内燃機関としてのエンジン３に固定された状態で車両１のフロアパネル１Ａの下方に縦置きに設置されている。本実施例の自動変速機２は、本発明の車両用変速機を構成し、エンジン３は、本発明の駆動源を構成する。
【００２０】
図２に示すように、自動変速機２は、回転軸（タービン軸１１、内側入力軸１２、外側入力軸１３、後側出力軸１４、カウンタ軸１５、後退軸１６、前側出力軸１７およびクラッチ軸１８）を車両１の前後方向に沿って配置している。なお、以後の説明で回転軸の前端部、後端部は、自動変速機２を車両に搭載した状態での回転軸の軸方向の前端部、後端部をいう。
【００２１】
図１において、自動変速機２は変速機ケース４を備えており、変速機ケース４は、トルクコンバータハウジング（以下、単にトルコンハウジングという）５と、フロントケース６と、トランスファフロントケース７と、トランスファリヤケース８と、トランスファアクチュエータケース９と、ギヤシフトケース６Ａとを備えている。
【００２２】
変速機ケース４は、前から順にトルコンハウジング５、フロントケース６、トランスファフロントケース７、トランスファリヤケース８、トランスファアクチュエータケース９が配置され、フロントケース６の上部にギヤシフトケース６Ａが配置され、相互に図示しないボルトによって結合されている。トルコンハウジング５の前端部は、図示しないボルトによってエンジン３に接続されている。
【００２３】
自動変速機２はシフトユニット１００を備えており（図４参照）、シフトユニット１００は、自動変速機２のシフト操作およびクラッチ操作を行う。シフト操作とは、自動変速機２の変速段を切り替える操作をいい、クラッチ操作とは、自動変速機２のクラッチ装置２２（図２参照）を係合（接続）または解放（切断）する操作をいう。
【００２４】
トルコンハウジング５にはトルクコンバータ２０が収容されている。トルクコンバータ２０は、エンジン３の図示しないクランク軸に連結されるフロントカバー２０Ａと、フロントカバー２０Ａに連結されたシェル２０Ｂとを備えており、エンジン３から自動変速機２にオイルを介して動力を伝達している。
【００２５】
シェル２０Ｂの内面には、図示しないポンプインペラが固定されている。トルクコンバータ２０の内部には、図示しないタービンランナがポンプインペラに対向して設置されており、タービンランナは、タービン軸１１に連結されている。ポンプインペラとタービンランナとの間には図示しないステータが設置されている。
【００２６】
エンジン３のクランク軸が回転すると、トルクコンバータ２０において、フロントカバー２０Ａ、シェル２０Ｂおよびポンプインペラが一体で回転する。このとき、ポンプインペラの回転による遠心力によって、トルクコンバータ２０の内部の流体に、ポンプインペラからタービンランナに向かう流れが生じる。
【００２７】
ステータは、タービンランナからの流体の流れをポンプインペラの回転方向に沿うように変換する。トルクコンバータ２０は、エンジン３から受け取った動力をトルク増幅作用により増幅されてタービン軸１１から出力する。
【００２８】
フロントカバー２０Ａの外周部には図示しないドライブプレートが設けられており、ドライブプレートの外周面にはリングギヤが形成されている。ドライブプレートは、エンジン３の始動時にスタータモータ１９（図４参照）とリングギヤが噛み合うことにより、スタータモータ１９の回転をフロントカバー２０Ａを介してエンジン３に伝達する。スタータモータ１９は、トルコンハウジング５の左上部の後面に取付けられている。
【００２９】
トルコンハウジング５は、前方が開放した形状を有し、トルクコンバータ２０の径方向外周を取り囲む周壁８１と、この周壁８１の内面に接続して設けられトルクコンバータ２０の後方に配置される隔壁８２とを有している。
【００３０】
隔壁８２は、トルクコンバータ２０とその後方に配置されるクラッチ装置２２の間でタービン軸１１を支持している。左側上部の周壁８１には、スタータモータ１９の装着部として、スタータモータ１９が挿入されるスタータモータ１９用の開口と、開口の周囲に取付けボスが形成されている。
【００３１】
隔壁８２は、トルコンハウジング５の内部でトルクコンバータ２０を収容するトルコン室３０とフロントケース６の内部でクラッチ装置２２を収容するクラッチ室３１とを仕切っている。隔壁８２には、トルクコンバータ２０の出力軸となるタービン軸１１が貫通して配置される軸受支持部が形成されている。タービン軸１１は、隔壁８２を貫通し、隔壁８２に形成された軸受支持部において玉軸受２３Ａを介して回転自在に支持されている。
【００３２】
トルコンハウジング５にはオイルポンプ２４が取付けられている。オイルポンプ２４は、トルコンハウジング５の内部空間（トルコン室３０）に突出するように隔壁８２の前面に配置されており、例えば、トロコイド式のオイルポンプから構成されている。オイルポンプ２４は、前側ポンプハウジング２５と後側ポンプハウジング２６から構成されるポンプハウジングを有する。
【００３３】
後側ポンプハウジング２６は、図示しないボルトによって隔壁８２に締結されており、前側ポンプハウジング２５は、図示しないボルトによって後側ポンプハウジング２６に締結されている。
【００３４】
前側ポンプハウジング２５および後側ポンプハウジング２６はオイルポンプ２４の筐体を構成している。前側ポンプハウジング２５と後側ポンプハウジング２６との間にはポンプ室２７が形成されており、ポンプ室２７にはインナロータ２４Ａおよびアウタロータ２４Ｂが配置されている。インナロータ２４Ａは、円環状の部材であってタービン軸１１が貫通した状態で取付けられており、シェル２０Ｂに係合してシェル２０Ｂと一体で回転する。
【００３５】
アウタロータ２４Ｂは、円環状の部材であってインナロータ２４Ａの周囲を囲むようにインナロータ２４Ａの半径方向外方に配置されており、インナロータ２４Ａの外周部に形成された外歯と噛み合うことでインナロータ２４Ａの回転に伴って回転する。
【００３６】
トロコイド式のオイルポンプ２４は、アウタロータ２４Ｂの内周部に形成された内歯とインナロータ２４Ａに形成された外歯とが接触することにより、外歯と内歯との間にオイルを収容する図示しない作動室を形成する。
【００３７】
エンジン３の動力がトルクコンバータ２０を介してインナロータ２４Ａに伝達されると、オイルポンプ２４において、インナロータ２４Ａとアウタロータ２４Ｂとが一方向に回転する。このとき、オイルポンプ２４は、外歯と内歯との間で形成された作動室の容積増加および容積減少が連続して発生することにより、作動室がオイルの吸入と排出を繰り返し、オイルを圧送することができる。
【００３８】
タービン軸１１の後端部には円盤状のフランジ部１１Ａが形成されており、フランジ部１１Ａは、タービン軸１１の前端部や中央部よりも大径に形成されている。フランジ部１１Ａにはフライホイール２８が取付けられている。フライホイール２８は、クラッチ室３１に配置され、フロントケース６に収容されている。
【００３９】
フロントケース６には、クラッチ装置２２が収容されている。クラッチ室３１に配置されたクラッチ装置２２は、フライホイール２８の後面に取付けられている。クラッチ装置２２は、乾式単板のクラッチであり、フライホイール２８に取付けられるクラッチカバーと、フライホイール２８とクラッチカバーの間に配置されるクラッチディスク２２Ａとによって構成されている。
【００４０】
なお、フロントケース６とトランスファフロントケース７によって変速機構２９が収納される変速機構室３２が形成されており、フロントケース６とトランスファフロントケース７には、後述する複数の変速ギヤ対や同期装置を有する変速機構２９が収容されている。本実施例のクラッチ装置２２は、本発明の第１のクラッチ装置を構成する。
【００４１】
フロントケース６は、クラッチ装置２２および変速機構２９を外周側から囲む周壁８３を備えている。トランスファフロントケース７は、変速機構２９を外周側から囲む周壁８４を備えており、周壁８４の前端部は、周壁８３の後端部に連結されている。
【００４２】
フロントケース６の周壁８３には隔壁８６が形成されており、隔壁８６は、フロントケース６の内部をクラッチ装置２２が収納されるクラッチ室３１と、変速機構２９が収納される変速機構室３２とに区画し、玉軸受２３Ｂを介して外側入力軸１３を回転自在に支持している。
【００４３】
クラッチ装置２２は、内側入力軸１２および外側入力軸１３が貫通した状態で設置されており、内側入力軸１２の周囲と外側入力軸１３の軸方向の前端部１３ａの周囲に配置されている。  内側入力軸１２および外側入力軸１３は、フロントケース６およびトランスファフロントケース７に収容されている。
【００４４】
内側入力軸１２は、外側入力軸１３の内部に挿入されており、内側入力軸１２は、外側入力軸１３と同軸上に設置されて外側入力軸１３と相対回転自在となっている。内側入力軸１２は、タービン軸１１と同軸上に設置されて、外側入力軸１３の前端部１３ａから前方に突出する軸方向の前端部１２ａがタービン軸１１のフランジ部１１Ａにスプライン嵌合されており、タービン軸１１から動力が伝達される。
【００４５】
これにより、内側入力軸１２は、タービン軸１１と一体で回転する。なお、本実施例のスプライン嵌合とは、スプライン穴にスプライン軸を挿入および嵌合してスプライン継手を構成し、スプラインによる動力伝達が可能に組み立てられた状態を意味する。
【００４６】
内側入力軸１２は、後側出力軸１４と同軸上に設置されている。内側入力軸１２の軸方向の後端部１２ｂは、後側出力軸１４の前端部１４ａに挿入され、後側出力軸１４の前端部１４ａにニードル軸受２３Ｃを介して相対回転自在に支持されている。本実施例の後側出力軸１４は、本発明の出力軸を構成する。
【００４７】
トランスファフロントケース７は、周囲が周壁８４に接続する隔壁８５が設けられている。隔壁８５には、後側出力軸１４が貫通配置される軸受支持部８８が設けられている。軸受支持部８８には、玉軸受２３Ｄを介して後側出力軸１４の軸方向の中央部が回転自在に支持されている。隔壁８５は、変速機構２９が収納される変速機構室３２と２駆‐４駆切替機構が収納されるトランスファ室３７とを仕切っている。
【００４８】
トランスファリヤケース８は、トランスファフロントケース７とともに２駆‐４駆切替機構が収納されるトランスファ室３７を画成している。トランスファリヤケース８は、後側出力軸１４の後部と後述するトランスファ装置３６（図２参照）を外周側から取り囲む周壁８７を備えており、周囲が周壁８７に接続する隔壁８９が設けられている。隔壁８９には、後側出力軸１４が貫通配置され玉軸受２３Ｅを支持する軸受支持部８９Ａが設けられている。後側出力軸１４の軸方向の中央部は、玉軸受２３Ｅを介して軸受支持部８９Ａに回転自在に支持されている。
【００４９】
トランスファリヤケース８の軸受支持部８９Ａは、後方に向って延びる筒状部８９Ｂを有する。筒状部８９Ｂは、隔壁８９から後方に筒状に延びている。筒状部８９Ｂの内部には後側出力軸１４の後端部が配置されており、リヤプロペラ軸の先端が筒状部８９Ｂに挿入されて、リヤプロペラ軸と後側出力軸１４とが連結される。
【００５０】
後側出力軸１４の後部は、玉軸受２３Ｅを介して隔壁８９に回転自在に支持されており、後側出力軸１４の後端部１４ｂは、筒状部８９Ｂに収容されている。
【００５１】
クラッチ装置２２は、クラッチディスク２２Ａとクラッチカバーとを備えている。クラッチカバーは、フライホイール２８と反対側のクラッチディスク２２Ａの面に当接するプレッシャプレート２２Ｂと、プレッシャプレート２２Ｂをフライホイール２８側に付勢するダイヤフラムスプリング２２Ｃとを備えている。
【００５２】
クラッチディスク２２Ａは外側入力軸１３の前端部１３ａにスプライン嵌合しており、クラッチディスク２２Ａは外側入力軸１３に一体的に回転し、かつ外側入力軸１３の軸方向に移動自在に設けられている。
【００５３】
フロントケース６の隔壁８６には、外側入力軸１３が貫通配置される筒状部９０が形成されている。筒状部９０は、隔壁８６の中央付近から外側入力軸１３の軸方向に沿ってクラッチ装置２２側に延びている。すなわち、筒状部９０は、隔壁８６からクラッチ室３１側に突出して形成されている。
【００５４】
外側入力軸１３の軸方向でクラッチ装置２２と玉軸受２３Ｂの間には環状のレリーズベアリング３４が設置されている。レリーズベアリング３４は、筒状部９０の周囲に設けられており、筒状部９０は、レリーズベアリング３４を貫通して配置されている。レリーズベアリング３４は、筒状部９０に沿って外側入力軸１３の軸方向に移動してダイヤフラムスプリング２２Ｃの半径方向内方部分に接触および離隔する。
【００５５】
レリーズベアリング３４は、レリーズレバー３５（図３、図４参照）によって筒状部９０に沿って外側入力軸１３の軸方向で前方（クラッチ装置２２側）に移動されると、ダイヤフラムスプリング２２Ｃの中央付近（筒状部９０の周辺付近）を前方に向かって押圧する。
【００５６】
これにより、ダイヤフラムスプリング２２Ｃによるプレッシャプレート２２Ｂへの付勢が解除され、プレッシャプレート２２Ｂの押圧力が無くなり、クラッチディスク２２Ａがフライホイール２８から離隔される。この結果、エンジン３のクランク軸の回転が外側入力軸１３に伝達されなくなる。
【００５７】
なお、エンジン３の動力を伝達するためにダイヤフラムスプリング２２Ｃがプレッシャプレート２２Ｂを付勢する力は強力であり、この付勢を解除するためにレリーズベアリング３４に作用するレリーズレバー３５からの操作力も大きな力が必要となる。この力はトルコンハウジング５の隔壁８２にて受け止められる。
【００５８】
レリーズベアリング３４は、レリーズレバー３５によって外側入力軸１３の軸方向に対して後方に移動されると、ダイヤフラムスプリング２２Ｃの中央付近（筒状部９０の周辺付近）から離れる。
【００５９】
この状態では、ダイヤフラムスプリング２２Ｃがプレッシャプレート２２Ｂを付勢してクラッチディスク２２Ａをフライホイール２８に押し付け、クラッチディスク２２Ａをプレッシャプレート２２Ｂとフライホイール２８にて挟持するので、エンジン３のクランク軸の回転を外側入力軸１３に伝達する。
【００６０】
このようにレリーズベアリング３４は、エンジン３の動力を外側入力軸１３に伝達可能または遮断可能なようにクラッチ装置２２を操作し、クラッチ装置２２は、エンジン３のクランク軸と外側入力軸１３との間で動力を伝達状態または遮断状態に切り替える。
【００６１】
レリーズレバー３５は、前述のシフトユニット１００に連結されており、シフトユニット１００によって操作される。
【００６２】
フロントケース６およびトランスファフロントケース７にはカウンタ軸１５が収容されており、カウンタ軸１５は、フロントケース６の隔壁８６、トランスファリヤケース８の隔壁８９に回転自在に支持されている。
【００６３】
図２に示すように、カウンタ軸１５は、内側入力軸１２、外側入力軸１３、後側出力軸１４、後退軸１６、前側出力軸１７およびクラッチ軸１８に対して平行に前後方向に延びている。すなわち、カウンタ軸１５、内側入力軸１２、外側入力軸１３、後側出力軸１４、後退軸１６、前側出力軸１７およびクラッチ軸１８は、平行に配置され前後方向に延びている。
【００６４】
内側入力軸１２は、フライホイール２８およびクラッチ装置２２の回転軸心を貫通して前後方向に延びている。内側入力軸１２の前端部１２ａは、タービン軸１１のフランジ部１１Ａの回転軸心に後方に向けて開口するように形成された嵌合穴１１ａに後側から挿入されて嵌合している。
【００６５】
嵌合穴１１ａの内面における後側部分は、内面にスプライン歯溝が形成されてスプライン穴となっている。また、内側入力軸１２の前端部１２ａは、外周面にスプライン歯が形成されてスプライン軸となっている。
【００６６】
そして、内側入力軸１２の前端部１２ａがタービン軸１１の嵌合穴１１ａに挿入されると、内側入力軸１２の前端部１２ａのスプライン軸部分と嵌合穴１１ａのスプライン穴部分が噛み合って、内側入力軸１２とタービン軸１１が一体的に回転するように連結される。
【００６７】
また、嵌合穴１１ａの内面における前側部分（奥側部分）はスプライン穴よりも小径の中空円筒状に形成されており、この中空円筒状に嵌合する様に内側入力軸１２の前端部１２ａの先端は円筒状に形成されている。
【００６８】
すなわち、内側入力軸１２は、前端部１２ａが嵌合穴１１ａに挿入されることにより、タービン軸１１の軸線と内側入力軸１２の軸線とが同一軸線上に位置するようにタービン軸１１と内側入力軸１２とが位置決めされる。
【００６９】
また、嵌合穴１１ａの後部のスプライン穴部分に内側入力軸１２のスプライン軸部分がスプライン嵌合され、タービン軸１１から内側入力軸１２にエンジン３の動力が伝達される。
【００７０】
図２に示すように、軸方向でレリーズベアリング３４よりも後側にオイルシール９２が設けられている。オイルシール９２は、筒状部９０の内面と外側入力軸１３の外周面の間に介装されて、変速機構室３２の潤滑油がクラッチ室３１に漏れ出さないように密封している。
【００７１】
軸方向でオイルシール９２よりも後側に、内側入力軸１２の外周面と外側入力軸１３の内面との間にはオイルシール９３が設けられている。軸方向でオイルシール９２とオイルシール９３を前後にずらして配置したので、筒状部９０の外径を小さくすることができる。
【００７２】
内側入力軸１２と外側入力軸１３との間には、図示しないすべり軸受（ブッシュ）とニードル軸受２３Ｇが配設され、内側入力軸１２と外側入力軸１３とは相対回転自在に相互に支持されている。つまり、外側入力軸１３の前端部１３ａは、すべり軸受を介して内側入力軸１２の前端部１２ａに相対回転自在に軸支されている。
【００７３】
また、オイルシール９３よりも後方において内側入力軸１２は、ニードル軸受２３Ｇを介して外側入力軸１３に相対回転自在に支持されている。
【００７４】
ニードル軸受２３Ｇよりも後方であって外側入力軸１３から後方に突出する内側入力軸１２の部分には、１速−後退用ギヤ４１が設けられている。１速−後退用ギヤ４１は、外側入力軸１３よりも大径に形成されているとともに、内側入力軸１２と一体で回転する。
【００７５】
１速−後退用ギヤ４１は、外側入力軸１３の後端部と後側出力軸１４の前端部の間に配置されている。つまり、内側入力軸１２の軸方向において、外側入力軸１３と後側出力軸１４は、１速−後退用ギヤ４１を前後方向で挟んで同軸上に設置されている。
【００７６】
外側入力軸１３の後端部には、駆動ギヤ４２が設けられている。内側入力軸１２の軸方向で１速−後退用ギヤ４１の側面と駆動ギヤ４２の側面（外側入力軸１３の後端面）の間にはスラスト軸受２３Ｊが設けられており、外側入力軸１３と内側入力軸１２（１速−後退用ギヤ４１）は、スラスト軸受２３Ｊによって軸方向に位置決めされた状態で相対回転自在となっている。
【００７７】
後側出力軸１４の前端部１４ａには、５速出力ギヤ４３Ｄが設けられている。内側入力軸１２の軸方向で１速−後退用ギヤ４１の側面と５速出力ギヤ４３Ｄの側面（後側出力軸１４の前端面）の間にスラスト軸受２３Ｋが設けられており、後側出力軸１４と内側入力軸１２（１速−後退用ギヤ４１）は、スラスト軸受２３Ｋにて軸方向に位置決めされた状態で相対回転自在となっている。
【００７８】
１速−後退用ギヤ４１よりも後方において、内側入力軸１２の後端部１２ｂは、後側出力軸１４の前端部１４ａに挿入されており、内側入力軸１２の後端部１２ｂと後側出力軸１４の前端部１４ａとの間にはニードル軸受２３Ｃが設けられている。つまり、後側出力軸１４の前端部１４ａは、その内部に配置されたニードル軸受２３Ｃによって内側入力軸１２に相対回転自在に支持されている。
【００７９】
内側入力軸１２の軸心にはオイル通路１２Ａが形成されているとともに、内側入力軸１２には半径方向に延びるオイル通路１２Ｂが形成されている。そして、オイル通路１２Ａは、オイル通路１２Ｂを通して内側入力軸１２の周囲（内側入力軸１２と外側入力軸１３の間の隙間）に連通している。
【００８０】
オイル通路１２Ａは、内側入力軸１２の後端面から軸方向に沿い内側入力軸１２の中央付近まで形成されている。つまり、オイル通路１２Ａの前端部は閉じられており、オイル通路１２Ａの後端部は、開口している。オイル通路１２Ｂは、オイル通路１２Ａの前端部付近に連通している。
【００８１】
軸方向でオイル通路１２Ｂの位置に対応する外側入力軸１３の外周部には環状部材９４が配置されており、環状部材９４は、外側入力軸１３の外周部を取り囲んでいる。環状部材９４は、筒状部９０と外側入力軸１３の間に配置され、筒状部９０に取付けられている（図１参照）。
【００８２】
環状部材９４は、外側入力軸１３の軸方向で玉軸受２３Ｂの前方側に玉軸受２３Ｂと並んで設置されており、玉軸受２３Ｂと共に筒状部９０と外側入力軸１３の間に設置されている。環状部材９４には半径方向に延びるオイル通路９４Ａが形成されており、オイル通路９４Ａは環状部材９４の外径面と内径面に開口を有している。
【００８３】
隔壁８６および筒状部９０には図示しないオイル通路が形成されており、オイル通路９４Ａは、筒状部９０のオイル通路を通して隔壁８６のオイル通路に連通されている。
【００８４】
軸方向で環状部材９４の位置に対応する外側入力軸１３の部位には、半径方向に延びて外側入力軸１３の内外を連通するオイル通路１３Ａが形成されている。そして、環状部材９４のオイル通路９４Ａは、オイル通路１３Ａおよびオイル通路１２Ｂを通してオイル通路１２Ａに連通されている。
【００８５】
これにより、隔壁８６のオイル通路から筒状部９０のオイル通路を通してオイル通路９４Ａに供給された潤滑油は、オイル通路１３Ａを通して内側入力軸１２と外側入力軸１３の間に供給される。この内側入力軸１２と外側入力軸１３の間に供給された潤滑油の一部は、オイル通路１２Ｂを通してオイル通路１２Ａに供給される。
【００８６】
外側入力軸１３と環状部材９４の間には図示しない一対のシールリングが設けられており、外側入力軸１３の軸方向でオイル通路１３Ａとオイル通路９４Ａは、軸方向で一対のシールリングの間に設けられている。
【００８７】
これにより、オイル通路９４Ａとオイル通路１３Ａが開口する環状部材９４と外側入力軸１３の間の空間が、一対のシールリングによって密閉され、オイル通路９４Ａからオイル通路１３Ａに流れる潤滑油が環状部材９４と外側入力軸１３の間から漏出されることが防止される。
【００８８】
自動変速機２において、環状部材９４のオイル通路９４Ａからオイル通路１３Ａを通過する潤滑油は、内側入力軸１２と外側入力軸１３の間に流れ込む。内側入力軸１２と外側入力軸１３の間には、軸方向でオイル通路１２Ｂとオイルシール９３の間に図示しないシールリングが設けられており、オイル通路１３Ａを通過した潤滑油が、オイルシール９３に過度に供給されることを防いでいる。
【００８９】
内側入力軸１２と外側入力軸１３の間に流れ込んだ潤滑油は、内側入力軸１２の軸方向に沿って後方に流れてニードル軸受２３Ｇを潤滑するとともに、その一部はオイル通路１２Ｂに流れ込む。
【００９０】
ニードル軸受２３Ｇを潤滑した潤滑油は、駆動ギヤ４２（外側入力軸１３の後端部１３ｂ）と１速−後退用ギヤ４１の間の隙間から排出され、駆動ギヤ４２と１速−後退用ギヤ４１の側面を流れて駆動ギヤ４２と１速−後退用ギヤ４１を潤滑し、変速機構室３２に排出される。
【００９１】
一方、内側入力軸１２と外側入力軸１３の間からオイル通路１２Ｂに流れ込んだ潤滑油は、オイル通路１２Ａを内側入力軸１２の軸方向に沿って後方に流れ、内側入力軸１２の軸方向の後端部１２ｂ（後端面）に形成されたオイル通路１２Ａの後部の開口端から内側入力軸１２と外側入力軸１３の間に供給される。
【００９２】
この潤滑油は、径方向の外側に流れて内側入力軸１２の外径面と外側入力軸１３の内径面の間の隙間に流れ込み、内側入力軸１２の軸方向に流れ、ニードル軸受２３Ｃを潤滑する。ニードル軸受２３Ｃを潤滑した潤滑油は、５速出力ギヤ４３Ｄ（外側入力軸１３の後端部１３ｂ）と１速−後退用ギヤ４１の間の隙間から排出され、５速出力ギヤ４３Ｄと１速−後退用ギヤ４１の側面を流れて５速出力ギヤ４３Ｄと１速−後退用ギヤ４１を潤滑し、変速機構室３２に排出される。
【００９３】
外側入力軸１３の後端部には駆動ギヤ４２が設けられている。後側出力軸１４には、後端部１４ｂから前端部１４ａに向かって順に１速−２速出力ギヤ４３Ａ、３速出力ギヤ４３Ｂ、４速出力ギヤ４３Ｃ、５速出力ギヤ４３Ｄが設けられている。出力ギヤ４３Ａから出力ギヤ４３Ｄは、後側出力軸１４に固定されており、後側出力軸１４と一体で回転する。
【００９４】
カウンタ軸１５の前端部１５ａは、玉軸受２３Ｌを介して隔壁８６に回転自在に支持されており、カウンタ軸１５の後端部１５ｂは、玉軸受２３Ｍを介して隔壁８９に回転自在に支持されている。
【００９５】
カウンタ軸１５には後端部１５ｂから前端部１５ａに向かって順に１速−２速カウンタギヤ４４Ａ、３速カウンタギヤ４４Ｂ、４速カウンタギヤ４４Ｃ、５速カウンタギヤ４４Ｄ、従動ギヤ４４Ｅが設けられている。３速カウンタギヤ４４Ｂと４速カウンタギヤ４４Ｃの間には、後述する後退軸１６の中間ギヤ６０に噛み合う従動ギヤ４４Ｆが設けられている。
【００９６】
従動ギヤ４４Ｅは、カウンタ軸１５にスプライン嵌合されており、カウンタ軸１５と一体で回転する。従動ギヤ４４Ｆは、カウンタ軸１５と一体に形成されており、カウンタ軸１５と一体で回転する。
【００９７】
カウンタギヤ４４Ａからカウンタギヤ４４Ｄは、ニードル軸受２１Ａ、２１Ｂ、２１Ｃ、２１Ｄを介してカウンタ軸１５に相対回転自在に取付けられている。
【００９８】
従動ギヤ４４Ｅは、外側入力軸１３の後端部１３ｂに一体に形成された駆動ギヤ４２に噛み合っている。同一の変速段を構成するカウンタギヤ４４Ａ、４４Ｂ、４４Ｃ、４４Ｄは、それぞれ同一の変速段を構成する出力ギヤ４３Ａ、４３Ｂ、４３Ｃ、４３Ｄに噛み合っている。
【００９９】
本実施例の駆動ギヤ４２および従動ギヤ４４Ｅは、外側入力軸１３からカウンタ軸１５に動力を伝達する第１の動力伝達ギヤ対を構成する。
【０１００】
自動変速機２は、出力ギヤ４３Ａから出力ギヤ４３Ｄと、カウンタギヤ４４Ａからカウンタギヤ４４Ｄとによって１速段から５速段までの変速段が構成されている。
【０１０１】
本実施例の出力ギヤ４３Ａとカウンタギヤ４４Ａ、出力ギヤ４３Ｂとカウンタギヤ４４Ｂ、出力ギヤ４３Ｃとカウンタギヤ４４Ｃ、出力ギヤ４３Ｄとカウンタギヤ４４Ｄは、カウンタ軸１５から後側出力軸１４に変速段に応じた動力を伝達可能な変速ギヤ対を構成する。
【０１０２】
カウンタ軸１５の軸方向で１速−２速カウンタギヤ４４Ａと３速カウンタギヤ４４Ｂの間には１、２速−３速用の同期装置４６が設置されている。
【０１０３】
１、２速−３速用の同期装置４６は、ハブ４６Ａおよびスリーブ４６Ｂを有する。ハブ４６Ａは、カウンタ軸１５にスプライン嵌合されており、カウンタ軸１５と一体で回転する。スリーブ４６Ｂは、ハブ４６Ａにスプライン嵌合されており、ハブ４６Ａと一体的に回転するとともにハブ４６Ａに対してカウンタ軸１５の軸方向に移動自在となっている。
【０１０４】
図１において、フロントケース６の上部には、ギヤシフトケース６Ａが取付けられている。ギヤシフトケース６Ａの内部には、シフトアンドセレクト軸３３が設置されている。シフトアンドセレクト軸３３は、外側入力軸１３の軸方向と直交する車幅方向に延びている。
【０１０５】
シフトアンドセレクト軸３３は、ギヤシフトケース６Ａに回転自在かつ、軸方向に移動自在に設けられており、シフトユニット１００によって操作される。シフトユニット１００は、変速機ケース４の右側に配置されており、フロントケース６およびトランスファフロントケース７の右側面に取付けられている。シフトユニット１００は、油圧によって駆動されるシフトアクチュエータ１００Ａおよびクラッチアクチュエータ１００Ｂ（図４参照）を有する。
【０１０６】
シフトアンドセレクト軸３３は、シフトアクチュエータ１００Ａによって操作され、レリーズレバー３５は、クラッチアクチュエータ１００Ｂによって操作される。また、シフトユニット１００は、後述するクラッチ装置５２に作動用油圧を供給し、クラッチ装置５２を作動させる。
【０１０７】
１、２速−３速用の同期装置４６において、シフトユニット１００によってシフトアンドセレクト軸３３が操作されると、図３に示す１、２速−３速用のシフトヨーク４９Ａ、１、２速−３速用のシフト軸５０Ａ、１、２速−３速用のシフトフォーク５１Ａを介してスリーブ４６Ｂがカウンタ軸１５の軸方向に移動される。
【０１０８】
図２において、１、２速−３速用の同期装置４６は、スリーブ４６Ｂを中立位置からカウンタ軸１５の軸方向の後側に移動させることにより、１速−２速カウンタギヤ４４Ａを、スリーブ４６Ｂおよびハブ４６Ａを介してカウンタ軸１５に連結させる。
【０１０９】
これにより、カウンタ軸１５と後側出力軸１４の間の前進１速段または前進２速段が成立し、動力がカウンタ軸１５から１速−２速カウンタギヤ４４Ａおよび１速−２速出力ギヤ４３Ａを介して後側出力軸１４に伝達される。
【０１１０】
１、２速−３速用の同期装置４６は、スリーブ４６Ｂを中立位置からカウンタ軸１５の軸方向の前側に移動させることにより、３速カウンタギヤ４４Ｂを、スリーブ４６Ｂおよびハブ４６Ａを介してカウンタ軸１５に連結する。これにより、カウンタ軸１５と後側出力軸１４の間の前進３速段が成立し、動力がカウンタ軸１５から３速カウンタギヤ４４Ｂおよび３速出力ギヤ４３Ｂを介して後側出力軸１４に伝達される。
【０１１１】
後側出力軸１４の後端部１４ｂには図示しないリヤプロペラ軸が連結されている。具体的には、リヤプロペラ軸の先端部には、内部にスプライン穴が形成された図示しないスライディングヨークが設けられている。後側出力軸１４の後端外周にはスプライン部１４ｓが形成されており、スライディングヨークは、筒状部８９Ｂに挿入された状態でスプライン部１４ｓにスプライン嵌合されている。
【０１１２】
これにより、スライディングヨークは、後側出力軸１４と一体で回転し、かつ、後側出力軸１４の軸方向に移動可能となっている。したがって、リヤプロペラ軸は、スライディングヨークを介して後側出力軸１４から動力を受け、後輪へ動力を伝達することができる。
【０１１３】
リヤプロペラ軸の後端部は、図示しないリヤディファレンシャル装置に連結されている。そして、リヤディファレンシャル装置は、左右のリヤドライブ軸を介して左右の後輪に連結されている。つまり、動力が後側出力軸１４からリヤプロペラ軸、リヤディファレンシャル装置、リヤ側の左右のリヤドライブ軸を介して左右の後輪に伝達される。
【０１１４】
カウンタ軸１５の軸方向で４速カウンタギヤ４４Ｃと５速カウンタギヤ４４Ｄの間には４速−５速用の同期装置４７が設置されている。
【０１１５】
４速−５速用の同期装置４７は、ハブ４７Ａおよびスリーブ４７Ｂを有する。ハブ４７Ａは、カウンタ軸１５にスプライン嵌合されており、カウンタ軸１５と一体で回転する。スリーブ４７Ｂは、ハブ４７Ａにスプライン嵌合されており、ハブ４７Ａと一体的に回転するとともにハブ４７Ａに対してカウンタ軸１５の軸方向に移動自在となっている。
【０１１６】
４速−５速用の同期装置４７において、シフトユニット１００によってシフトアンドセレクト軸３３が操作されると、図３に示す４速−５速用のシフトヨーク４９Ｂ、４速−５速用のシフト軸５０Ｂ、４速−５速用のシフトフォーク５１Ｂを介してスリーブ４７Ｂがカウンタ軸１５の軸方向に移動される。
【０１１７】
４速−５速用の同期装置４７は、スリーブ４７Ｂを中立位置からカウンタ軸１５の軸方向の後側に移動させることにより、４速カウンタギヤ４４Ｃを、スリーブ４７Ｂおよびハブ４７Ａを介してカウンタ軸１５に連結する。これにより、前進４速段が成立し、カウンタ軸１５の動力が４速カウンタギヤ４４Ｃおよび４速出力ギヤ４３Ｃを介して後側出力軸１４に伝達される。
【０１１８】
４速−５速用の同期装置４７は、スリーブ４７Ｂを中立位置からカウンタ軸１５の軸方向の前側に移動させることにより、５速カウンタギヤ４４Ｄを、スリーブ４７Ｂおよびハブ４７Ａを介してカウンタ軸１５に連結する。
【０１１９】
これにより、前進５速段が成立し、カウンタ軸１５の動力が５速カウンタギヤ４４Ｄおよび４速出力ギヤ４３Ｄを介して後側出力軸１４に伝達される。
【０１２０】
４速段または５速段が成立すると、エンジン３の動力が後側出力軸１４からリヤプロペラ軸、リヤディファレンシャル装置、リヤ側の左右のリヤドライブ軸を介して左右の後輪に伝達される。
【０１２１】
図２において、クラッチ軸１８の前端部１８ａは、コロ軸受２３Ｎを介してフロントケース６に形成された図示しない軸受支持部に回転自在に支持されている。
【０１２２】
クラッチ軸１８の軸方向の中央部は、玉軸受２３Ｐを介してフロントケース６に取付けられた軸受支持部材９５（図３、図４参照）に回転自在に支持されている。玉軸受２３Ｐが設置された軸受支持部材９５は、フロントケース６と別体に設けられており、フロントケース６に架設されている。
【０１２３】
クラッチ軸１８の後端部１８ｂは、玉軸受２３Ｑを介してトランスファフロントケース７の隔壁８５に回転自在に支持されている。
【０１２４】
図４に示すように、自動変速機２の高さ方向（上下方向）でクラッチ軸１８が最も高い位置に設置されており、カウンタ軸１５が最も低い位置に設置されている。自動変速機２の高さ方向で後側出力軸１４は、カウンタ軸１５よりも高い位置で、かつクラッチ軸１８よりも低い位置に設置されている。
【０１２５】
自動変速機２の高さ方向で後退軸１６は、カウンタ軸１５よりも高い位置で、かつ後側出力軸１４よりも低い位置に設置されている。内側入力軸１２と外側入力軸１３は、後側出力軸１４と同一軸上に設置されているので、自動変速機２の高さ方向で内側入力軸１２と外側入力軸１３は、カウンタ軸１５よりも高い位置で、かつクラッチ軸１８よりも低い位置に設置されている。
【０１２６】
車幅方向で後側出力軸１４と後退軸１６は、カウンタ軸１５とクラッチ軸１８の間に設置されており、車幅方向において後退軸１６は、後側出力軸１４に対してクラッチ軸１８側に位置し、後側出力軸１４は、後退軸１６に対してカウンタ軸１５側に位置している。
【０１２７】
つまり、軸方向から見て、クラッチ軸１８は後側出力軸１４に対して左側やや上方に配置され、後退軸１６は後側出力軸１４に対して左側やや下方に配置され、カウンタ軸１５は後側出力軸１４に対して右下に配置されている。
【０１２８】
このような位置関係により、後側出力軸１４の軸心Ｏ１とカウンタ軸１５の軸心Ｏ２と後退軸１６の軸心Ｏ３とクラッチ軸１８の軸心Ｏ４と後側出力軸１４の軸心Ｏ１とを結んだ仮想線Ｌは、略平行四辺形となるように後側出力軸１４、カウンタ軸１５、後退軸１６およびクラッチ軸１８が設置される。
【０１２９】
図２において、クラッチ軸１８の前端部１８ａ側には湿式多板クラッチで構成されるクラッチ装置５２が設置されている。本実施例のクラッチ装置５２は、本発明の第２のクラッチ装置を構成する。
【０１３０】
クラッチ装置５２は、クラッチドラム５３およびクラッチハブ５４を有する。クラッチドラム５３の後部には入力ギヤ５５がスプライン嵌合されて取付けられており、入力ギヤ５５は、クラッチドラム５３と一体で回転する。
【０１３１】
入力ギヤ５５は１速−後退用ギヤ４１に噛み合っており、内側入力軸１２の動力は、１速−後退用ギヤ４１から入力ギヤ５５を介してクラッチドラム５３に伝達される。クラッチドラム５３は、入力ギヤ５５に対応する軸方向位置においてニードル軸受２３Ｒを介してクラッチ軸１８に相対回転自在に支持されている。本実施例の１速−後退用ギヤ４１および入力ギヤ５５は、内側入力軸１２からクラッチ軸１８に動力を伝達する本発明の第２の動力伝達ギヤ対を構成する。
【０１３２】
クラッチドラム５３の内周部には環状の摩擦プレート５６Ａがスプライン嵌合されており、摩擦プレート５６Ｂは、クラッチドラム５３と一体で回転可能で、かつ、クラッチ軸１８の軸方向に移動自在となっている。
【０１３３】
クラッチハブ５４は、クラッチドラム５３の内側に配置されており、クラッチドラム５３の前側でクラッチ軸１８にスプライン嵌合されており、クラッチ軸１８と一体で回転する。クラッチハブ５４の外周部には摩擦プレート５６Ｂがスプライン嵌合されている。
【０１３４】
摩擦プレート５６Ｂは、クラッチハブ５４と一体で回転可能で、かつ、クラッチ軸１８の軸方向に移動自在となっている。摩擦プレート５６Ａ、５６Ｂは、クラッチ軸１８の軸方向で交互に並ぶように設置されている。
【０１３５】
クラッチ装置５２は、その前側部分にクラッチピストン５７および筒状の押圧プレート５７Ａを備えている。クラッチピストン５７は、押圧プレート５７Ａの前側であって軸方向で押圧プレート５７Ａとコロ軸受２３Ｎの間に配置されており、シフトユニット１００から供給されるオイルによって駆動され、押圧プレート５７Ａをクラッチ軸１８の軸方向で後方に押圧する。
【０１３６】
押圧プレート５７Ａがクラッチピストン５７によって後方に押圧されると、押圧プレート５７Ａが摩擦プレート５６Ａおよび摩擦プレート５６Ｂを後方に押圧し、摩擦プレート５６Ａと摩擦プレート５６Ｂが摩擦接触し、クラッチドラム５３とクラッチハブ５４が一体で回転される。
【０１３７】
これにより、内側入力軸１２の動力が１速−後退用ギヤ４１から入力ギヤ５５、クラッチ装置５２を介してクラッチ軸１８に伝達され、クラッチ軸１８が回転される。
【０１３８】
押圧プレート５７Ａにクラッチピストン５７の押圧力が作用しなくなると、押圧プレート５７Ａが図示しないリタースプリングによって摩擦プレート５６Ａ、５６Ｂから引き離される。これにより、摩擦プレート５６Ａ、５６Ｂに作用していた押しつけ力が無くなり、摩擦プレート５６Ａと摩擦プレート５６Ｂの間の摩擦力が低下して内側入力軸１２の動力がクラッチ軸１８に伝達されなくなる。
【０１３９】
クラッチ軸１８の軸方向でクラッチ装置５２の後方には筒状部材５８が設置されている。筒状部材５８は、その後部がニードル軸受２１Ｅを介してクラッチ軸１８に回転自在に支持されている。
【０１４０】
ニードル軸受２１Ｅに対応する軸方向位置において筒状部材５８の外周部には駆動ギヤ５８Ａが形成されている。駆動ギヤ５８Ａは、後述する中間ギヤ６０に噛み合っている。
【０１４１】
筒状部材５８の前側部分は拡径されており、この筒状部材５８の拡径部とクラッチ軸１８の間にワンウェイクラッチ５９が配置されている。つまり、ワンウェイクラッチ５９は、筒状部材５８を介して駆動ギヤ５８Ａとクラッチ軸１８の間に配置されている。
【０１４２】
そして、ワンウェイクラッチ５９は、クラッチ軸１８が駆動ギヤ５８Ａの回転速度を増速側に変更させる回転のみを駆動ギヤ５８Ａに伝達し、駆動ギヤ５８Ａの回転速度がクラッチ軸１８の回転速度よりも速い場合には、駆動ギヤ５８Ａとクラッチ軸１８の間で動力を伝達しない。
【０１４３】
後退軸１６の前端部１６ａは、玉軸受２３Ｓを介して隔壁８６に回転自在に支持されており、後退軸１６の後端部１６ｂは、玉軸受２３Ｔを介して隔壁８５に回転自在に支持されている。
【０１４４】
後退軸１６の軸方向の中央部には中間ギヤ６０が固定されている。中間ギヤ６０は、後退軸１６と一体に形成されており、後退軸１６と一体で回転する。中間ギヤ６０は、クラッチ軸１８に配置された駆動ギヤ５８Ａとカウンタ軸１５に配置された従動ギヤ４４Ｆに噛み合っており、駆動ギヤ５８Ａと従動ギヤ４４Ｆの間で動力を伝達可能にしている。
【０１４５】
これにより、クラッチ軸１８は、駆動ギヤ５８Ａおよび中間ギヤ６０を介して後退軸１６に動力を伝達可能であり、後退軸１６は、中間ギヤ６０から従動ギヤ４４Ｆを介してカウンタ軸１５に動力を伝達可能である。
【０１４６】
つまり、クラッチ軸１８は、ワンウェイクラッチ５９、駆動ギヤ５８Ａ、中間ギヤ６０（後退軸１６）および従動ギヤ４４Ｆ（カウンタ軸１５）を介して後側出力軸１４に動力を伝達可能となっている。
【０１４７】
本実施例の駆動ギヤ５８Ａ、中間ギヤ６０および従動ギヤ４４Ｆは、クラッチ軸１８と後退軸１６とカウンタ軸１５との間で動力を伝達する本発明の動力伝達ギヤ組を構成する。
【０１４８】
ここで、ワンウェイクラッチ５９は、クラッチ軸１８から駆動ギヤ５８Ａ、中間ギヤ６０および従動ギヤ４４Ｆを介してカウンタ軸１５に回転速度を増加させる動力を伝達可能とし、カウンタ軸１５から従動ギヤ４４Ｆ、中間ギヤ６０および駆動ギヤ５８Ａを介してクラッチ軸１８に回転速度を増加させる動力を伝達することを不能とする。
【０１４９】
すなわち、ワンウェイクラッチ５９は、クラッチ軸１８の動力を駆動ギヤ５８Ａ、中間ギヤ６０および従動ギヤ４４Ｆを介してカウンタ軸１５に伝達し、カウンタ軸１５の回転速度がクラッチ軸１８の回転速度よりも速くなると、カウンタ軸１５から従動ギヤ４４Ｆ、中間ギヤ６０および駆動ギヤ５８Ａを介してクラッチ軸１８に動力を伝達しない。
【０１５０】
後退軸１６の後端部１６ｂには後退ギヤ６１が設けられており、後退ギヤ６１は、ニードル軸受２１Ｆを介して後退軸１６に相対回転自在に支持されている。後退ギヤ６１は、後側出力軸１４に配置された１速−２速出力ギヤ４３Ａに噛み合っており、後退ギヤ６１から動力が伝達される。これにより、後退軸１６は、後退ギヤ６１および１速−２速出力ギヤ４３Ａを介して後側出力軸１４に動力を伝達可能となっている。
【０１５１】
本実施例の１速−２速出力ギヤ４３Ａおよび１速−２速カウンタギヤ４４Ａは、前進１速段と前進１速段に連続する前進２速段とが共通化されたものであり、１速段は、本発明の第１の前進用変速段を構成し、２速段は、本発明の第２の前進用変速段を構成する。
【０１５２】
後退軸１６には後退用の同期装置４８が設置されている。後退用の同期装置４８は、ハブ４８Ａおよびスリーブ４８Ｂを有する。ハブ４８Ａは、後退軸１６にスプライン嵌合されており、後退軸１６と一体で回転する。スリーブ４８Ｂは、ハブ４８Ａにスプライン嵌合されており、後退軸１６の軸方向に移動自在となっている。
【０１５３】
後退用の同期装置４８において、シフトユニット１００によってシフトアンドセレクト軸３３が操作されると、図３に示す後退用のシフトヨーク４９Ｃ、後退用のシフト軸５０Ｃ、後退用のシフトフォーク５１Ｃを介してスリーブ４８Ｂが後退軸１６の軸方向に移動される。
【０１５４】
後退用の同期装置４８は、スリーブ４８Ｂを中立位置から後退軸１６の軸方向の後側に移動させることにより、後退ギヤ６１を、スリーブ４８Ｂおよびハブ４８Ａを介して後退軸１６に連結させる。これにより、後退段が成立する。
【０１５５】
後退段が成立すると、後退軸１６の回転が後退ギヤ６１から１速−２速出力ギヤ４３Ａを介して後側出力軸１４に伝達される。このとき、後側出力軸１４が車両１の前進時と反対側に回転駆動され、エンジン３の動力が後側出力軸１４からリヤプロペラ軸、リヤディファレンシャル装置、リヤ側の左右のリヤドライブ軸を介して左右の後輪に動力が伝達される。これにより、後輪が車両１の前進時と反対側に回転駆動され、車両１が後退される。
【０１５６】
トランスファフロントケース７は、フロントケース６との合わせ面から左下方に延出するように形成された前壁（不図示、隔壁８５に連続して形成されている）を有している。前側出力軸１７の前端部は、トランスファフロントケース７の前壁から前方に突出して継手１７ａが設けられており、継手１７ａには図示しないフロントプロペラ軸が連結されている。フロントプロペラ軸は、図示しないフロントディファレンシャル装置および左右のフロントドライブ軸を介して左右の前輪に動力を伝達する。
【０１５７】
前側出力軸１７は、継手１７ａの後部（前側出力軸１７の中央やや前側）が玉軸受２３Ｕを介してトランスファフロントケース７の前壁（隔壁８５）に回転自在に支持されており、後端部１７ｂが玉軸受２３Ｖを介してトランスファリヤケース８の隔壁８９に形成されている図示しない軸受支持部に回転自在に支持されている。
【０１５８】
前側出力軸１７の軸方向で玉軸受２３Ｕと玉軸受２３Ｖの間にはトランスファ従動ギヤ（従動スプロケット）６２が設けられている。トランスファ従動ギヤ６２は、前側出力軸１７にスプライン嵌合されており、前側出力軸１７と一体で回転する。
【０１５９】
トランスファ従動ギヤ６２は、トランスファチェーン６５によってトランスファ駆動ギヤ（駆動スプロケット）６４に連結されている。トランスファ駆動ギヤ６４は、ニードル軸受２３Ｗを介して筒状のスペーサ６６に回転自在に支持されている。スペーサ６６は、後側出力軸１４に嵌合しており、挿入配置された後側出力軸１４に取付けられている。
【０１６０】
後側出力軸１４の軸方向で、トランスファ駆動ギヤ６４とその後方に配置された玉軸受２３Ｅの間には、トランスファ同期装置６７が設置されている。
【０１６１】
トランスファ同期装置６７は、二輪−四輪切替用のハブ６７Ａとスリーブ６７Ｂとを有する。ハブ６７Ａは、後側出力軸１４にスプライン嵌合されており、後側出力軸１４と一体で回転する。スリーブ６７Ｂは、ハブ６７Ａにスプライン嵌合されており、後側出力軸１４の軸方向に移動自在となっている。
【０１６２】
図１に示すように、スリーブ６７Ｂには、二輪−四輪切替用のフォーク６８が係合されている。フォーク６８は、操作軸６９に取付けられている。操作軸６９は、前後方向に沿って配設され、トランスファフロントケース７とトランスファアクチュエータケース９にその前後端部が支持されており、軸方向に移動自在となっている。
【０１６３】
操作軸６９の後部は、トランスファアクチュエータケース９に収容されており、トランスファアクチュエータケース９は、操作軸６９の後部を覆うようにしてトランスファリヤケース８に取付けられている。
【０１６４】
トランスファアクチュエータケース９の上部にはトランスファアクチュエータ７０が取付けられており、トランスファアクチュエータ７０は、操作軸６９を軸方向に移動させる。
【０１６５】
トランスファアクチュエータ７０が操作軸６９を前側に移動させると、フォーク６８が操作軸６９と一体で前側に移動し、スリーブ６７Ｂを中立位置から後側出力軸１４の軸方向の前側に移動させる。
【０１６６】
これにより、スリーブ６７Ｂが四輪駆動位置となり、スリーブ６７Ｂはトランスファ駆動ギヤ６４に連結されて、トランスファ駆動ギヤ６４がスリーブ６７Ｂおよびハブ６７Ａを介してカウンタ軸１５に連結される。
【０１６７】
つまり、トランスファ駆動ギヤ６４が後側出力軸１４と一体で回転される。このため、後側出力軸１４の動力がトランスファ駆動ギヤ６４、トランスファチェーン６５およびトランスファ従動ギヤ６２を介して前側出力軸１７に伝達される。
【０１６８】
この結果、後側出力軸１４に伝達されたエンジン３の動力は、リヤプロペラ軸等を介して後輪に伝達されるとともに、フロントプロペラ軸、フロントディファレンシャル装置、フロント側の左右のリヤドライブ軸を介して左右の前輪に伝達され、車両１が前後輪で駆動される。すなわち、車両１が四輪で駆動される。
【０１６９】
一方、操作軸６９が前側の位置であって車両が四輪駆動となる位置にある場合に、トランスファアクチュエータ７０が操作軸６９を後側に移動させると、フォーク６８が操作軸６９と一体で後側に移動し、スリーブ６７Ｂを四輪駆動位置から後側出力軸１４の軸方向の後側に移動させる。
【０１７０】
これにより、スリーブ６７Ｂとトランスファ駆動ギヤ６４の連結が解除されてトランスファ駆動ギヤ６４が後側出力軸１４と相対回転可能となり、後側出力軸１４からトランスファ駆動ギヤ６４に動力が伝達されない。このため、後側出力軸１４の動力が前側出力軸１７に伝達されなくなり、後輪のみに動力が伝達される。すなわち、車両１は、二輪駆動となる。
【０１７１】
このようにトランスファ装置３６は、車両１の駆動状態を二輪駆動と四輪駆動とに切り替える。本実施例のトランスファ従動ギヤ６２、トランスファ駆動ギヤ６４、トランスファチェーン６５、トランスファ同期装置６７、フォーク６８、操作軸６９およびトランスファアクチュエータ７０は、トランスファ装置３６を構成する。
【０１７２】
図１に示すように、フロントケース６の下部にはオイルパン７３が取付けられており、オイルパン７３にはオイルが貯留されている。オイルパン７３とフロントケース６の下部との間にはバルブボディ７４が収容されており、バルブボディ７４は、図示しないボルトによってフロントケース６の下部に締結されている。
【０１７３】
バルブボディ７４は、オイルポンプ２４によってオイルパン７３から吸い上げられたオイルを、トルコンハウジング５の隔壁８２に形成された図示しない油路を通してトルクコンバータ２０に供給する。
【０１７４】
次に、各変速段におけるエンジン３から後側出力軸１４までの動力伝達経路を説明する。
（変速段が１速段の場合の動力伝達経路）
１速段においては、クラッチ装置２２が解放された状態、すなわち、クラッチディスク２２Ａがプレッシャプレート２２Ｂとフライホイール２８にて挟持されておらずクラッチディスク２２Ａがフライホイール２８から離隔された状態となる。
【０１７５】
また、クラッチ装置５２が締結された状態、すなわち、摩擦プレート５６Ａ、５６Ｂが摩擦接触された状態となる。つまり、１速段においては、クラッチ装置２２は解放されて動力伝達をしない状態となり、クラッチ装置５２は締結されて動力伝達を行う状態となる。さらに、１、２速−３速用の同期装置４６が中立位置から１速−２速カウンタギヤ４４Ａ側に移動し、１速−２速カウンタギヤ４４Ａがカウンタ軸１５に連結された状態となる。
【０１７６】
１速段において、エンジン３の動力は、タービン軸１１からフライホイール２８およびクラッチ装置２２を介して外側入力軸１３に伝達されずに、タービン軸１１から内側入力軸１２、１速−後退用ギヤ４１、入力ギヤ５５およびクラッチ装置５２を介してクラッチ軸１８に伝達される。
【０１７７】
次いで、エンジン３の動力は、クラッチ軸１８からワンウェイクラッチ５９、駆動ギヤ５８Ａ、中間ギヤ６０および従動ギヤ４４Ｆを介してカウンタ軸１５に伝達された後、カウンタ軸１５から１、２速−３速用の同期装置４６、１速−２速カウンタギヤ４４Ａおよび１速−２速出力ギヤ４３Ａを介して後側出力軸１４に伝達される。
【０１７８】
（変速段が２速段の場合の動力伝達経路）
２速段においては、クラッチ装置２２が係合された状態となり、クラッチ装置５２は、締結された状態が維持される。さらに、１、２速−３速用の同期装置４６が１速−２速カウンタギヤ４４Ａ側に移動した状態が維持され、１速−２速カウンタギヤ４４Ａがカウンタ軸１５に連結された状態が維持される。
【０１７９】
２速段において、エンジン３の動力は、タービン軸１１からフライホイール２８およびクラッチ装置２２を介して外側入力軸１３に伝達された後、駆動ギヤ４２および従動ギヤ４４Ｅを介してカウンタ軸１５に伝達される。
【０１８０】
次いで、エンジン３の動力は、カウンタ軸１５から１、２速−３速用の同期装置４６、１速−２速カウンタギヤ４４Ａおよび１速−２速出力ギヤ４３Ａを介して後側出力軸１４に伝達される。
【０１８１】
１速段から２速段に変速する場合は、クラッチ装置５２が締結された状態が維持され、クラッチ装置２２の接続を行うことにより、変速段の切り替えが行われる。これにより、変速段の切り替えを円滑に行うことができる上に、変速ショックを抑制できる。
【０１８２】
なお、２速段から１速段に変速する場合は、クラッチ装置５２を締結された状態とし、クラッチ装置２２を切断することにより、変速段の切り替えが行われる。こちらの場合も、変速段の切り替えを円滑に行うことができる上に、変速ショックを抑制することができる。
【０１８３】
また、１速段から２速段に変速する場合、ワンウェイクラッチ５９が機能する。走行中に２速段に変速すると、２速段の動力伝達によるカウンタ軸１５の回転が従動ギヤ４４Ｆから後退軸１６の中間ギヤ６０を介して筒状部材５８の駆動ギヤ５８Ａに伝達されるが、筒状部材５８の回転速度がクラッチ軸１８の回転速度よりも速くなるので、ワンウェイクラッチ５９によってカウンタ軸１５からクラッチ軸１８に動力が伝達されなくなる。
【０１８４】
このため、２速段用の動力伝達経路（クラッチ装置２２、外側入力軸１３、カウンタ軸１５を介して後側出力軸１４にエンジン３の動力が伝達される動力伝達経路）が成立しても、１速段用の動力伝達経路（内側入力軸１２、クラッチ装置５２、後退軸１６、カウンタ軸１５を介して後側出力軸１４にエンジン３の動力が伝達される動力伝達経路）が悪影響を及ぼすことは回避される。
【０１８５】
また、２速段に移行した後、任意の時点において、クラッチ装置５２が締結された状態から解放された状態に移行される。
（変速段が３速段の場合の動力伝達経路）
【０１８６】
３速段においては、クラッチ装置２２が係合された状態となり、クラッチ装置５２は、解放された状態となる。さらに、１、２速−３速用の同期装置４６が３速カウンタギヤ４４Ｂ側に移動し、３速カウンタギヤ４４Ｂがカウンタ軸１５に連結された状態となる。
【０１８７】
３速段において、エンジン３の動力は、タービン軸１１からフライホイール２８およびクラッチ装置２２を介して外側入力軸１３に伝達された後、駆動ギヤ４２および従動ギヤ４４Ｅを介してカウンタ軸１５に伝達される。
【０１８８】
次いで、エンジン３の動力は、カウンタ軸１５から１、２速−３速用の同期装置４６、３速出力ギヤ４４Ｂおよび３速出力ギヤ４３Ｂを介して後側出力軸１４に伝達される。
【０１８９】
なお、４速段および５速段では、３速段の動力伝達経路に対して、動力伝達経路の一部が出力ギヤ４３Ｃとカウンタギヤ４４Ｃまたは、出力ギヤ４３Ｄとカウンタギヤ４４Ｄになるだけであるので、具体的な説明を省略する。
【０１９０】
また、クラッチ装置２２に関し、１速段から２速段への変速では締結するのみで、２速段から１速段への変速では解放するのみであるが、２速段以上の変速においては、同期装置４６、４７、４８の切り替えに伴い解放と締結の両方を行うことになる。
（後退段）
【０１９１】
後退段においては、クラッチ装置２２が解放された状態となり、クラッチ装置５２が締結された状態となる。さらに、後退用の同期装置４８が中立位置から後退ギヤ６１側に移動し、後退ギヤ６１が後退軸１６に連結された状態となる。
【０１９２】
後退段において、エンジン３の動力は、クラッチ装置２２が解放されているため、タービン軸１１からフライホイール２８およびクラッチ装置２２を介して外側入力軸１３に伝達されずに、タービン軸１１から内側入力軸１２、１速−後退用ギヤ４１、入力ギヤ５５およびクラッチ装置５２を介してクラッチ軸１８に伝達される。
【０１９３】
次いで、エンジン３の動力は、クラッチ軸１８からワンウェイクラッチ５９、駆動ギヤ５８Ａ、中間ギヤ６０を介して後退軸１６に伝達された後、後退ギヤ６１から後退用の同期装置４８、１速−２速出力ギヤ４３Ａを介して後側出力軸１４に伝達される。
【０１９４】
つまり、後退段では、タービン軸１１、内側入力軸１２、クラッチ軸１８、後退軸１６、後側出力軸１４の順に動力が伝達される。なお、１速と後退では、クラッチ装置５２の締結力を調整することで動力の調整を行うことができ、これにより、停車状態からの発進をスムーズに行うことができる。また、トルクコンバータ２０のトルク増幅作用により、発進をよりスムーズに行うことができる。
【０１９５】
一方、図４に示すように、カウンタ軸１５に配置された１速−２速カウンタギヤ４４Ａにはパーキングギヤ７１が設けられており、パーキングギヤ７１にパーキングポール７２の係止爪７２ａが係合すると、１速−２速カウンタギヤ４４Ａの回転が規制される。
【０１９６】
１速−２速カウンタギヤ４４Ａの回転が規制されると、１速−２速カウンタギヤ４４Ａに噛み合う出力ギヤ４３Ａとともに後側出力軸１４の回転が規制され、リヤプロペラ軸、リヤディファレンシャル装置、図示しないドライブシャフトを介して後輪が回転することが規制される。このため、車両１の停車状態が維持される。
【０１９７】
パーキングギヤ７１にパーキングポール７２の係止爪７２ａが係合しない状態では、１速−２速カウンタギヤ４４Ａの回転が許容される。１速−２速カウンタギヤ４４Ａの回転が許容されると、後側出力軸１４の回転が許容され、後輪が回転することが許容される。このため、車両１は走行可能な状態となる。
【０１９８】
次に、本実施例の自動変速機２の効果を説明する。
本実施例の自動変速機２は、エンジン３から動力が伝達される内側入力軸１２と、内側入力軸１２の外側において内側入力軸１２と同軸上に設けられた外側入力軸１３と、内側入力軸１２および外側入力軸１３に設置され、エンジン３と外側入力軸１３との間で動力を伝達可能および動力を遮断可能なクラッチ装置２２と、内側入力軸１２および外側入力軸１３と平行に設置された後側出力軸１４、クラッチ軸１８、カウンタ軸１５および後退軸１６とを有する。
【０１９９】
自動変速機２は、外側入力軸１３とカウンタ軸１５とに設けられ、外側入力軸１３からカウンタ軸１５に動力を伝達する駆動ギヤ４２および従動ギヤ４４Ｅと、カウンタ軸１５と後側出力軸１４とに設けられ、カウンタ軸１５から後側出力軸１４に変速段に応じた動力を伝達可能な出力ギヤ４３Ａとカウンタギヤ４４Ａ、出力ギヤ４３Ｂとカウンタギヤ４４Ｂ、出力ギヤ４３Ｃとカウンタギヤ４４Ｃ、および出力ギヤ４３Ｄとカウンタギヤ４４Ｄとを有する。
【０２００】
自動変速機２は、内側入力軸１２とクラッチ軸１８とに設けられ、内側入力軸１２からクラッチ軸１８に動力を伝達する１速−後退用ギヤ４１および入力ギヤ５５と、クラッチ軸１８と後退軸１６とカウンタ軸１５に設けられ、クラッチ軸１８と後退軸１６とカウンタ軸１５との間で動力を伝達する駆動ギヤ５８Ａ、中間ギヤ６０および従動ギヤ４４Ｆとを有する。
【０２０１】
自動変速機２は、クラッチ軸１８に設けられ、クラッチ軸１８の動力を駆動ギヤ５８Ａ、中間ギヤ６０および従動ギヤ４４Ｆを介してカウンタ軸１５に伝達し、カウンタ軸１５の回転速度がクラッチ軸１８の回転速度よりも速くなると、カウンタ軸１５から駆動ギヤ５８Ａ、中間ギヤ６０および従動ギヤ４４Ｆを介してクラッチ軸１８に動力を伝達しないワンウェイクラッチ５９とを備えている。
【０２０２】
これに加えて、１速段と１速段に連続する２速段とは、１速−２速出力ギヤ４３Ａと１速−２速カウンタギヤ４４Ａとによって共通化されている。
【０２０３】
これにより、エンジン３から後側出力軸１４に動力を伝達する動力伝達経路を１つのクラッチ装置２２で切替えることができる。
【０２０４】
すなわち、１速段においては、クラッチ装置２２が解放し、エンジン３の動力をタービン軸１１から内側入力軸１２、クラッチ軸１８、後退軸１６、カウンタ軸１５を介して後側出力軸１４に伝達できる。
【０２０５】
また、２速段においては、１、２速−３速用の同期装置４６を１速−２速カウンタギヤ４４Ａ側に移動した状態を維持してクラッチ装置２２を係合し、エンジン３の動力をタービン軸１１から外側入力軸１３およびカウンタ軸１５を介して後側出力軸１４に伝達できる。
【０２０６】
これにより、１、２速−３速用の同期装置４６の切替えを行わずにクラッチ装置２２の切替え（解放および係合）を行うことによって、１速段と２速段との間で変速を行うことができる。このため、変速時間の短縮を図ることができることに加えて、変速時にトルク抜けが生じることを防止して変速ショックが発生することを防止できる。
【０２０７】
また、エンジン３から後側出力軸１４に動力を伝達する動力伝達経路を１つのクラッチ装置２２で切替えることができるので、クラッチ装置２２が大型化することを防止して、自動変速機２の小型化を図ることができる。
【０２０８】
これに加えて、１速段と２速段が１速−２速出力ギヤ４３Ａおよび１速−２速カウンタギヤ４４Ａによって共通化されている。
【０２０９】
これにより、車両１の発進時と停止時に頻繁に使用される１速段と２速段との切替時の変速時間の短縮をより効果的に図ることができることに加えて、変速ショックが発生することをより効果的に防止できる。
【０２１０】
また、本実施例の自動変速機２によれば、クラッチ軸１８にクラッチ装置５２が設けられており、クラッチ装置５２は、内側入力軸１２とクラッチ軸１８との間で動力を伝達可能および動力を遮断可能である。
【０２１１】
これにより、１速段から２速段に変速する場合は、クラッチ装置５２を締結した状態を維持してクラッチ装置２２の接続を行うことにより、１速段と２速段の切り替えを行うことができる。このため、１速段と２速段の切り替えを円滑に行うことができる上に、変速ショックをより効果的に抑制できる。
【０２１２】
また、１速段から２速段に変速する場合、２速段の動力伝達によるカウンタ軸１５の回転が従動ギヤ４４Ｆから後退軸１６の中間ギヤ６０を介して筒状部材５８の駆動ギヤ５８Ａに伝達されるが、筒状部材５８の回転速度がクラッチ軸１８の回転速度よりも速くなるので、ワンウェイクラッチ５９によってカウンタ軸１５からクラッチ軸１８に動力が伝達されなくなる。
【０２１３】
このため、２速段用の動力伝達経路（クラッチ装置２２、外側入力軸１３、カウンタ軸１５を介して後側出力軸１４にエンジン３の動力が伝達される動力伝達経路）が成立しても、１速段用の動力伝達経路（内側入力軸１２、クラッチ装置５２、後退軸１６、カウンタ軸１５を介して後側出力軸１４にエンジン３の動力が伝達される動力伝達経路）が影響を及ぼすことを回避できる。
【０２１４】
また、２速段から５速段においては、クラッチ装置５２を解放して内側入力軸１２からクラッチ軸１８に動力を伝達しないので、クラッチ軸１８に慣性力が発生することを防止でき、エンジン３への負荷を低減できる。このため、エンジン３のエネルギー損失を抑制でき、エンジン３の燃料消費量を低減や、エンジン３の応答性を向上できる。さらに、クラッチ軸１８の回転が停止（あるいは停止に近い）状態になるので、潤滑油の攪拌抵抗を低減できる。
【０２１５】
なお、本実施例の第１の前進用変速段および第２の前進用変速段は、前進１速段と前進１速段に連続する前進２速段とから構成されているが、これに限らず、前進２速段と前進２速段に連続する前進３速段から構成されてもよく、前進３速段と前進３速段に連続する前進４速段とから構成されてもよい。すなわち、前進Ｎ速段と前進Ｎ速段に連続する前進Ｍ速段とから構成されてもよい。
【０２１６】
本発明の実施例を開示したが、当業者によっては本発明の範囲を逸脱することなく変更が加えられうることは明白である。すべてのこのような修正および等価物が次の請求項に含まれることが意図されている。
【符号の説明】
【０２１７】
１...車両、２...自動変速機（車両用変速機）、３...エンジン（駆動源）、１２...内側入力軸、１３...外側入力軸、１４...後側出力軸（出力軸）、１５...カウンタ軸、１６...後退軸、１８...クラッチ軸、２２...クラッチ装置（第１のクラッチ装置）、４１...１速−後退用ギヤ（第２の動力伝達ギヤ対）、４２...駆動ギヤ（第１の動力伝達ギヤ対）、４３Ａ，４３Ｂ，４３Ｃ，４３Ｄ...出力ギヤ（変速ギヤ対）、４４Ａ，４４Ｂ，４４Ｃ，４４Ｄ...カウンタギヤ（変速ギヤ対）、４４Ｅ...従動ギヤ（第１の動力伝達ギヤ対）、４４Ｆ...従動ギヤ（動力伝達ギヤ組）、５２...クラッチ装置（第２のクラッチ装置）、５５...入力ギヤ（第２の動力伝達ギヤ対）、５８Ａ...駆動ギヤ（動力伝達ギヤ組）、５９...ワンウェイクラッチ、６０...中間ギヤ（動力伝達ギヤ組）
【図１】
2020197281.tif 000003
【図２】
2020197281.tif 000004
【図３】
2020197281.tif 000005
【図４】
2020197281.tif 000006